(57)【要約】【課題】片眼観察および両眼観察の両方が可能な光学瞳サイズを持ちつつ、コンパクトな構成で、瞳シフトによる虚像の歪曲変化を低減する。【解決手段】虚像観察光学系１は、表示面ＯＰと光学瞳ＥＰとの間の光路中に、少なくとも２面の反射面としての面Ｓ１と面Ｓ２とを有している。光学瞳ＥＰは、該光学瞳ＥＰの面内で観察者の眼幅方向に垂直な方向よりも眼幅方向に長い形状で形成されている。虚像観察光学系１は、光学瞳ＥＰの中心で観察される虚像の、光学瞳長辺方向および短辺方向の半画角、光学瞳ＥＰの長辺方向の有効領域長さ、観察者の瞳位置がシフトしたときの、光学瞳長辺方向に対応する虚像の辺の光学瞳短辺方向の画角変動量の最大値、観察者の瞳位置がシフトしたときの、虚像の中心線の光学瞳長辺方向の画角差に関する所定の条件式を全て満足している。【選択図】図１
2012058294.tif 000002
【特許請求の範囲】
【請求項１】
表示面に表示された画像の拡大虚像を、光学瞳の位置で観察者に観察させる虚像観察光学系であって、
前記表示面と前記光学瞳との間の光路中に、少なくとも２面の反射面を有しており、
前記反射面の少なくとも１面は、唯一の対称面を持ち、
前記光学瞳は、該光学瞳の面内で観察者の眼幅方向に垂直な方向よりも眼幅方向に長い形状であり、
以下の条件式（１）〜（５）を満足することを特徴とする虚像観察光学系；
８°＜２・Ang_x ＜２０°                    ・・・（１）
４°＜２・Ang_y ＜８°                      ・・・（２）
６０ｍｍ＜Ｌａ＜２００ｍｍ                  ・・・（３）
０＜ΔAng_y ／Ang_y ＜０．０８              ・・・（４）
０＜ΔAng_x ／（２・Ang_y ）＜０．１２      ・・・（５）
ただし、
Ang_x   ：光学瞳中心で観察される虚像の、光学瞳長辺方向の半画角
Ang_y   ：光学瞳中心で観察される虚像の、光学瞳短辺方向の半画角
Ｌａ    ：光学瞳の長辺方向の有効領域長さ
ΔAng_y ：光学瞳中心から光学瞳長辺方向に観察者の瞳がシフトしたときの、光学
瞳長辺方向に対応する虚像の辺における光学瞳短辺方向の画角変動量の
最大値
ΔAng_x ：光学瞳中心で観察したときに、光学瞳中心を含んで光学瞳面に垂直な断
面であって、光学瞳短辺方向に平行な断面上にある虚像を、光学瞳中心
から光学瞳長辺方向にシフトした位置で観察したときの、該虚像の光学
瞳短辺方向両端での光学瞳長辺方向の画角差
である。
【請求項２】
前記表示面から射出される光を、前記少なくとも２面の反射面を介して前記光学瞳に位置する観察者の両眼に導くことを特徴とする請求項１に記載の虚像観察光学系。
【請求項３】
前記表示面から射出される光は、前記表示面側から、正のパワーを持つ反射面と、負のパワーを持つ反射面とを介して前記光学瞳に到達することを特徴とする請求項１または２に記載の虚像観察光学系。
【請求項４】
前記唯一の対称面を有する反射面の有効領域の中心位置で面法線ベクトルを立て、前記面法線ベクトルおよび前記対称面に垂直な方向をｘ方向とし、前記面法線ベクトルおよびｘ方向に垂直な方向をｙ方向とし、前記反射面の有効領域の中心をｘ＝ｙ＝０とし、
前記反射面の有効領域の対称面上でのｙ方向両端のうち、前記表示面から射出された光束の前記反射面に対する入射角度がより小さい側の端部をＡとし、前記入射角度がより大きい側の端部をＢとすると、
前記反射面において、端部Ａからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ａのサグ量よりも増加する一方、端部Ｂからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ｂのサグ量よりも減少することを特徴とする請求項１から３のいずれかに記載の虚像観察光学系。
【請求項５】
前記唯一の対称面を有する反射面は、ｘ方向に負のパワーを有しており、
前記反射面のｘ方向の曲率は、ｙ方向の曲率よりも大きく、
前記反射面の有効領域では、ｙ方向に垂直な全ての断面内で、前記対称面からの距離が大きくなるにつれて、前記反射面のサグ量が単調に増加し、
前記反射面の有効領域において、ｙ＝０の断面で、前記対称面上の位置を基準とするｘ＝ｑの位置のサグ量をＤ０とし、端部Ａを通るｙ方向に垂直な断面で、端部Ａのサグ量を基準とするｘ＝ｑの位置の相対的なサグ量をＤ１とし、端部Ｂを通るｙ方向に垂直な断面で、端部Ｂを基準とするｘ＝ｑの位置の相対的なサグ量をＤ２とすると、
前記反射面の有効領域のｘ方向の全ての位置について、Ｄ１−Ｄ０＞０で、かつ、Ｄ２−Ｄ０＜０であり、
さらに、以下の条件式（６）を満足することを特徴とする請求項４に記載の虚像観察光学系；
１．０＜Ｐx_a ／Ｐx_b ＜１．５      ・・・（６）
ただし、
Ｐx_a ：前記反射面の端部Ａでのｘ方向のパワー
Ｐx_b ：前記反射面の端部Ｂでのｘ方向のパワー
である。
【請求項６】
前記唯一の対称面を持つ反射面は、前記表示面から前記光学瞳に向かう光路上で前記光学瞳に最も近い反射面であることを特徴とする請求項１から５のいずれかに記載の虚像観察光学系。
【請求項７】
前記表示面から前記光学瞳に向かう光の光路が、前記少なくとも２つの反射面により、虚像の短辺方向に折り曲げられていることを特徴とする請求項１から６のいずれかに記載の虚像観察装置。
【請求項８】
請求項１から７のいずれかに記載の虚像観察光学系と、
前記虚像観察光学系によって観察者に虚像を観察させるための画像を表示する表示面とを有し、
前記表示面の表示有効領域の対向する２つの辺であって、光学瞳長辺方向に対応する辺をＸ１・Ｘ２とし、２つの辺Ｘ１・Ｘ２の中点同士を結んだ線分をＹ0とし、２つの辺Ｘ１・Ｘ２のうち、線分Ｙ0を含む断面内で、光学瞳に最も近い反射面に対する入射角度が最も小さくなる光線が射出される側の辺をＸ１とし、前記反射面に対する入射角度が最も大きくなる光線が射出される側の辺をＸ２とすると、
以下の条件式（Ａ）〜（Ｃ）を満足することを特徴とする虚像観察装置；
１．０５＜Ｘｂ／Ｘａ＜１．３        ・・・（Ａ）
−０．０８＜Ｙａ／Ｙｃ＜０．０８      ・・・（Ｂ）
−０．０８＜Ｙｂ／Ｙｃ＜０．０８      ・・・（Ｃ）
ただし、
Ｙｃ  ：線分Ｙ0の長さ
Ｘａ  ：辺Ｘ１の、線分Ｙ0に垂直な方向の長さ
Ｘｂ  ：辺Ｘ２の、線分Ｙ0に垂直な方向の長さ
Ｙａ  ：辺Ｘ１の、線分Ｙ0に平行な方向の歪み量の最大値
Ｙｂ  ：辺Ｘ２の、線分Ｙ0に平行な方向の歪み量の最大値
である。
【発明の詳細な説明】
【技術分野】
【０００１】
本発明は、表示面に表示された画像の拡大虚像を観察者に観察させる虚像観察光学系と、その虚像観察光学系と上記表示面とを備えた虚像観察装置とに関するものである。
【背景技術】
【０００２】
従来から、表示素子の表示面に歪みを有する画像を表示することで、光学系が持つ歪曲を補正し、歪みのない虚像を観察させる装置が種々提案されている。例えば特許文献１のヘッドアップディスプレイでは、表示面から射出された光を凹面鏡で反射させてフロントウィンドシールドに導き、観察者に表示画像の拡大虚像を観察させる構成において、上記の凹面鏡として、縦方向の拡大率が横方向の拡大率よりも小さいものを用い、元の画像を縦方向に引き延ばして表示面に表示させることで、光学系が持つ歪曲を補正するようにしている。
【０００３】
一般に、自動車等におけるフロントウィンドシールドは、構造上、上下方向（縦方向）に非対称に湾曲した形状となっており、凹面鏡の縦方向の拡大率が大きいと、フロントウィンドシールドの上記非対称な形状とも相まって、虚像の歪みが大きくなる。そこで、特許文献１では、縦方向の拡大率が横方向の拡大率よりも小さい凹面鏡を用い、虚像の歪みに大きく寄与する縦方向の拡大率を抑えつつ、元の画像を縦方向に引き延ばして表示面に表示させることで、虚像の歪みを抑えながら、元の画像を縦横で同じ倍率で拡大したときと等価な虚像を得ている。この構成では、凹面鏡の湾曲形状が複雑になるのを回避できるので、低コストで虚像の歪みを抑えることができる。
【０００４】
また、特許文献２の装置では、光学系の特性に起因する虚像の歪み形状から決定した関数を用いて元画像を変換し、変換した画像を表示させることにより、光学系が持つ歪みを補正している。元画像から表示画像への変換に上記関数を用いることにより、例えば、予め測定した歪みから作ったアドレス変換マップによって元画像の画素を再配置して補間処理を行うという画像処理によって上記の変換を行う構成に比べて、アドレス変換マップを記憶する大容量のメモリを不要とすることができ、低コストで歪みの少ない画像を得ることができる。
【先行技術文献】
【特許文献】
【０００５】
【特許文献１】特開２００５−３９１８号公報（請求項１、段落〔０００２〕〜〔０００９〕、図１等参照）
【特許文献２】特開２００３−２８７７０７号公報（請求項１、段落〔０００６〕〜〔０００８〕等参照）
【発明の概要】
【発明が解決しようとする課題】
【０００６】
ところで、図１７は、従来の虚像観察光学系を用いた構成において、光学瞳面内での観察者の瞳位置Ａ〜Ｃで観察される虚像の歪曲を模式的に示している。同図に示すように、表示面１０１から射出される光を観察光学系１０２を介して光学瞳に導き、光学瞳の位置で観察者に虚像Ｖを観察させる虚像観察光学系では、光学瞳面内で観察者の瞳位置がＡからＢ、またはＡからＣにシフトすると、表示面１０１から観察光学系１０２を介して観察者の瞳に入射する光束の光路が変化するため、観察者の瞳位置Ａ〜Ｃに応じて、虚像Ｖが持つ歪曲が変化する。
【０００７】
特に、両眼観察用など、光学瞳が大きい虚像観察光学系では、観察者の瞳位置がシフトしたときの虚像の歪曲変化が大きいと、眼の疲れや酔いが起こる原因となる。また、両眼観察においては、左右の眼の位置（瞳位置）が異なるため、瞳位置による歪曲差が大きいと、左右の眼で観察される虚像の融像が困難になり、両眼で虚像を長時間観察することが困難になる。
【０００８】
この点、特許文献１および２のいずれも、光学瞳の面内で観察者の瞳位置がシフトしたときの虚像の歪曲変化を低減するための構成や条件を一切開示しておらず、瞳シフトによる虚像の歪曲変化を低減することはできない。
【０００９】
特に、光学瞳が大きく、片眼でも両眼でも虚像を観察することが可能な虚像観察光学系においては、コンパクトな構成で、瞳シフトによる虚像の歪曲変化を低減できるようにすることが望まれる。
【００１０】
本発明は、上記の問題点を解決するためになされたもので、その目的は、片眼観察および両眼観察の両方が可能な光学瞳サイズを持ちつつ、コンパクトな構成で、瞳シフトによる虚像の歪曲変化を低減できる虚像観察光学系と、その虚像観察光学系を備えた虚像観察装置とを提供することにある。
【課題を解決するための手段】
【００１１】
本発明の虚像観察光学系は、表示面に表示された画像の拡大虚像を、光学瞳の位置で観察者に観察させる虚像観察光学系であって、前記表示面と前記光学瞳との間の光路中に、少なくとも２面の反射面を有しており、前記反射面の少なくとも１面は、唯一の対称面を持ち、前記光学瞳は、該光学瞳の面内で観察者の眼幅方向に垂直な方向よりも眼幅方向に長い形状であり、以下の条件式（１）〜（５）を満足することを特徴としている。すなわち、
８°＜２・Ang_x ＜２０°                    ・・・（１）
４°＜２・Ang_y ＜８°                      ・・・（２）
６０ｍｍ＜Ｌａ＜２００ｍｍ                  ・・・（３）
０＜ΔAng_y ／Ang_y ＜０．０８              ・・・（４）
０＜ΔAng_x ／（２・Ang_y ）＜０．１２      ・・・（５）
ただし、
Ang_x   ：光学瞳中心で観察される虚像の、光学瞳長辺方向の半画角
Ang_y   ：光学瞳中心で観察される虚像の、光学瞳短辺方向の半画角
Ｌａ    ：光学瞳の長辺方向の有効領域長さ
ΔAng_y ：光学瞳中心から光学瞳長辺方向に観察者の瞳がシフトしたときの、光学
瞳長辺方向に対応する虚像の辺における光学瞳短辺方向の画角変動量の
最大値（°）
ΔAng_x ：光学瞳中心で観察したときに、光学瞳中心を含んで光学瞳面に垂直な断
面であって、光学瞳短辺方向に平行な断面上にある虚像を、光学瞳中心
から光学瞳長辺方向にシフトした位置で観察したときの、該虚像の光学
瞳短辺方向両端での光学瞳長辺方向の画角差（°）
である。
【００１２】
本発明の虚像観察光学系は、前記表示面から射出される光を、前記少なくとも２面の反射面を介して前記光学瞳に位置する観察者の両眼に導く構成であってもよい。
【００１３】
本発明の虚像観察光学系において、前記表示面から射出される光は、前記表示面側から、正のパワーを持つ反射面と、負のパワーを持つ反射面とを介して前記光学瞳に到達してもよい。
【００１４】
本発明の虚像観察光学系において、前記唯一の対称面を有する反射面の有効領域の中心位置で面法線ベクトルを立て、前記面法線ベクトルおよび前記対称面に垂直な方向をｘ方向とし、前記面法線ベクトルおよびｘ方向に垂直な方向をｙ方向とし、前記反射面の有効領域の中心をｘ＝ｙ＝０とし、前記反射面の有効領域の対称面上でのｙ方向両端のうち、前記表示面から射出された光束の前記反射面に対する入射角度がより小さい側の端部をＡとし、前記入射角度がより大きい側の端部をＢとすると、前記反射面において、端部Ａからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ａのサグ量よりも増加する一方、端部Ｂからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ｂのサグ量よりも減少する構成であってもよい。
【００１５】
本発明の虚像観察光学系において、前記唯一の対称面を有する反射面は、ｘ方向に負のパワーを有しており、前記反射面のｘ方向の曲率は、ｙ方向の曲率よりも大きく、前記反射面の有効領域では、ｙ方向に垂直な全ての断面内で、前記対称面からの距離が大きくなるにつれて、前記反射面のサグ量が単調に増加し、前記反射面の有効領域において、ｙ＝０の断面で、前記対称面上の位置を基準とするｘ＝ｑの位置のサグ量をＤ０とし、端部Ａを通るｙ方向に垂直な断面で、端部Ａのサグ量を基準とするｘ＝ｑの位置の相対的なサグ量をＤ１とし、端部Ｂを通るｙ方向に垂直な断面で、端部Ｂを基準とするｘ＝ｑの位置の相対的なサグ量をＤ２とすると、前記反射面の有効領域のｘ方向の全ての位置について、Ｄ１−Ｄ０＞０で、かつ、Ｄ２−Ｄ０＜０であり、さらに、以下の条件式（６）を満足することが望ましい。すなわち、
１．０＜Ｐx_a ／Ｐx_b ＜１．５      ・・・（６）
ただし、
Ｐx_a ：前記反射面の端部Ａでのｘ方向のパワー
Ｐx_b ：前記反射面の端部Ｂでのｘ方向のパワー
である。
【００１６】
本発明の虚像観察光学系において、前記唯一の対称面を持つ反射面は、前記表示面から前記光学瞳に向かう光路上で前記光学瞳に最も近い反射面であることが望ましい。
【００１７】
本発明の虚像観察光学系において、前記表示面から前記光学瞳に向かう光の光路が、前記少なくとも２つの反射面により、虚像の短辺方向に折り曲げられていることが望ましい。
【００１８】
本発明の虚像観察装置は、上述した本発明の虚像観察光学系と、前記虚像観察光学系によって観察者に虚像を観察させるための画像を表示する表示面とを有し、前記表示面の表示有効領域の対向する２つの辺であって、光学瞳長辺方向に対応する辺をＸ１・Ｘ２とし、２つの辺Ｘ１・Ｘ２の中点同士を結んだ線分をＹ0とし、２つの辺Ｘ１・Ｘ２のうち、線分Ｙ0を含む断面内で、光学瞳に最も近い反射面に対する入射角度が最も小さくなる光線が射出される側の辺をＸ１とし、前記反射面に対する入射角度が最も大きくなる光線が射出される側の辺をＸ２とすると、以下の条件式（Ａ）〜（Ｃ）を満足することが望ましい。すなわち、
１．０５＜Ｘｂ／Ｘａ＜１．３        ・・・（Ａ）
−０．０８＜Ｙａ／Ｙｃ＜０．０８      ・・・（Ｂ）
−０．０８＜Ｙｂ／Ｙｃ＜０．０８      ・・・（Ｃ）
ただし、
Ｙｃ  ：線分Ｙ0の長さ
Ｘａ  ：辺Ｘ１の、線分Ｙ0に垂直な方向の長さ
Ｘｂ  ：辺Ｘ２の、線分Ｙ0に垂直な方向の長さ
Ｙａ  ：辺Ｘ１の、線分Ｙ0に平行な方向の歪み量の最大値
Ｙｂ  ：辺Ｘ２の、線分Ｙ0に平行な方向の歪み量の最大値
である。
【発明の効果】
【００１９】
本発明によれば、条件式（１）〜（５）を満足することにより、片眼観察および両眼観察の両方が可能な光学瞳サイズを持ちつつ、コンパクトな構成で、瞳シフトによる虚像の歪曲変化を低減することができる。
【図面の簡単な説明】
【００２０】
【図１】本発明の実施の形態１に係る虚像観察装置の概略の構成を示す断面図である。
【図２】本発明の実施の形態２に係る虚像観察装置の概略の構成を示す断面図である。
【図３】本発明の実施の形態３に係る虚像観察装置の概略の構成を示す断面図である。
【図４】実施の形態１の虚像観察装置で虚像が観察される様子を模式的に示す説明図である。
【図５】光学瞳の左右方向の有効領域の長さと、光学瞳の中心で観察される虚像の、光学瞳長辺方向の半画角とを示す説明図である。
【図６】光学瞳の中心で観察される虚像の、光学瞳短辺方向の半画角を示す説明図である。
【図７】（ａ）は、光学瞳の中心で観察される虚像の一例を示す説明図であり、（ｂ）は、光学瞳の中心から左方向にシフトした位置で観察される上記虚像を示す説明図である。
【図８】表示面の表示有効領域を模式的に示す説明図である。
【図９】実施の形態１の面Ｓ１の形状を３次元的に示す説明図である。
【図１０】実施の形態１の面Ｓ１のｙｚ断面での形状およびサグ量を模式的に示す説明図である。
【図１１】実施の形態２の面Ｓ１のｙｚ断面での形状およびサグ量を模式的に示す説明図である。
【図１２】実施の形態３の面Ｓ１のｙｚ断面での形状およびサグ量を模式的に示す説明図である。
【図１３】実施の形態１の面Ｓ１のｚｘ断面での形状およびサグ量を模式的に示す説明図である。
【図１４】実施の形態１の面Ｓ１のｙ方向に垂直な各断面とｙ＝０断面とでのサグ量の差分を示す説明図である。
【図１５】実施の形態２の面Ｓ１のｙ方向に垂直な各断面とｙ＝０断面とでのサグ量の差分を示す説明図である。
【図１６】実施の形態３の面Ｓ１のｙ方向に垂直な各断面とｙ＝０断面とでのサグ量の差分を示す説明図である。
【図１７】従来の虚像観察光学系を用いた構成において、観察者の各瞳位置で観察される虚像の歪曲を模式的に示す説明図である。
【発明を実施するための形態】
【００２１】
本発明の実施の形態について、図面に基づいて説明すれば、以下の通りである。
【００２２】
（虚像観察装置の概略構成）
図１〜３は、本発明の実施の形態１〜３に係る虚像観察装置の概略の構成を示す断面図である。各虚像観察装置は、表示面ＯＰと、虚像観察光学系１とを有している。表示面ＯＰは、観察者に虚像を観察させるための画像を表示する面であり、例えば表示素子（例えばＬＣＤ）の表示面やスクリーンの投影画面を考えることができる。虚像観察光学系１は、表示面ＯＰから射出される光を光学瞳ＥＰに導くことにより、表示面ＯＰに表示された画像の拡大虚像を、光学瞳ＥＰの位置で観察者に観察させる光学系である。上記の光学瞳ＥＰは、虚像観察光学系１によって形成される瞳（射出瞳）であり、光学瞳ＥＰの面内で観察者の眼幅方向（左右方向）に垂直な方向（上下方向）よりも、眼幅方向に長い形状で形成されている。
【００２３】
ここで、以下での説明の便宜上、方向を次のように定義しておく。まず、光学瞳ＥＰの面に垂直な方向をＺ方向とし、Ｚ方向に垂直な面内で互いに垂直な２方向のうち、紙面に平行な方向をＹ方向とし、紙面に垂直な方向をＸ方向とする。すなわち、Ｚ方向、Ｙ方向、Ｘ方向は、それぞれ、虚像観察時の前後方向、上下方向、左右方向に対応する。表示面ＯＰは、短辺方向を含む面がＹＺ平面に平行で、長辺方向がＹＺ平面に垂直なＸ方向となるように配置されている。
【００２４】
実施の形態１〜３の各虚像観察光学系１は、表示面ＯＰと光学瞳ＥＰとの間の光路中に、少なくとも２面の自由曲面からなる反射面を有している。具体的には、各虚像観察光学系１は、上記２面の反射面として、光学瞳ＥＰ側から順に配置される面Ｓ１および面Ｓ２を有している。面Ｓ１は負のパワーを有しており、面Ｓ２は正のパワーを有している。面Ｓ１および面Ｓ２は、偏心（例えばＸ軸回りに回転偏心）して配置されている。また、実施の形態３の虚像観察光学系１は、さらに、面Ｓ２と表示面ＯＰとの間の光路中に、屈折部材２を有している。屈折部材２は、表示面ＯＰからの光を屈折させ、若干収束させた状態で面Ｓ２に導く。屈折部材２の光学瞳ＥＰ側の面（射出面）は、自由曲面からなる面Ｓ３であり、表示面ＯＰ側の面（入射面）は、平面からなる面Ｓ４である。
【００２５】
実施の形態１および２の構成では、表示面ＯＰから射出された光は、面Ｓ２および面Ｓ１の順に反射されて光学瞳ＥＰに入射する。これにより、観察者は、光学瞳ＥＰの位置で表示面ＯＰの拡大虚像を観察することができる。なお、図４は、例として、実施の形態１の光学系で虚像Ｖが観察される様子を模式的に示している。また、実施の形態３の構成では、表示面ＯＰから射出された光は、屈折部材２に面Ｓ４から入射し、面Ｓ３から射出された後、面Ｓ２および面Ｓ１の順に反射されて光学瞳ＥＰに入射する。したがって、この構成であっても、観察者は光学瞳ＥＰの位置で表示面ＯＰの拡大虚像を観察することができる。また、実施の形態１〜３の構成では、光学瞳ＥＰは、観察者の眼幅方向に長い形状であるので、観察者は、虚像を片眼で観察することもできるし、両眼で観察することもできる。
【００２６】
実施の形態１〜３の構成では、各虚像観察光学系１が反射面（面Ｓ１、面Ｓ２）を有していることにより、屈折部材のみで光学系を構成する場合と比較して、光学部材の加工コストを抑制できる効果や、光学系全体の重量を軽減する効果を期待できる。また、実施の形態３のように、光学系内に反射面に加えて屈折部材２を配置する場合、屈折部材２を光学瞳ＥＰ側から遠い位置、すなわち、面Ｓ２と表示面ＯＰとの間に配置することが、屈折部材２のサイズを小さくすることができる点で望ましい。また、表示面ＯＰの位置を光軸に沿って変更する機構を設置することにより、観察される虚像の位置を前後に変更することも可能である。なお、この場合の光軸とは、表示面ＯＰの中心と光学瞳ＥＰの中心とを光学的に結ぶ軸を考えることができる。
【００２７】
（唯一の対称面について）
表示面ＯＰと光学瞳ＥＰとの間の光路中に配置される少なくとも２面の反射面（面Ｓ１、面Ｓ２）のうち、少なくとも１面は、唯一の対称面を持つことが望ましい。実施の形態１〜３では、図１〜図３に示したように、面Ｓ１および面Ｓ２は、ＹＺ面を唯一の対称面として有している（２以上の対称面を有していない）。
【００２８】
このようにＹＺ面を唯一の対称面とする場合は、Ｘ方向とＹ方向とでパワーが異なる面形状となり、このような面形状によって像面湾曲や非点収差を良好に補正することが容易となる。また、反射面が唯一の対称面を持つことにより、反射面の形状の設定を含めた光学系の設計がしやすいものとなる。なお、唯一の対称面を持つ反射面は、光路中に少なくとも１面あれば、上記の効果を得ることができるが、全ての反射面が唯一の対称面を持つことで、その効果が大きいものとなる。
【００２９】
（反射面のパワー配置について）
反射面を利用した虚像観察光学系１において、光学瞳ＥＰの位置にて、表示面ＯＰの表示画像（直接像、実像）と、その虚像とが同時に観察されると、光学系の使用感が大きく損なわれる。
【００３０】
そこで、表示面ＯＰから射出される光が、表示面ＯＰ側から、正のパワーを持つ反射面（面Ｓ２）と、負のパワーを持つ反射面（面Ｓ１）とを介して光学瞳ＥＰに到達する構成とし、光路中に配置される反射面を、表示面ＯＰ側から正負のパワー配置とすることにより、決められた焦点距離のもとで、光学瞳ＥＰから遠い側の正パワーの反射面（面Ｓ２）と表示面ＯＰとの距離を確保することができ、これによって、光学瞳ＥＰ側から見て上記負パワーの反射面（面Ｓ１）の背後に表示面ＯＰを位置させるレイアウトとすることができる。このようなレイアウトでは、表示面ＯＰから光学瞳ＥＰに直接向かう光は上記負パワーの反射面（面Ｓ１）で遮られ、光学瞳ＥＰには入射しないので、虚像とともに直接像が観察されるのを防止することができ、光学系の使用感が大きく損なわれるのを回避することができる。
【００３１】
（本発明の特徴的な構成および条件式について）
次に、実施の形態１〜３の各虚像観察光学系１の特徴的な構成および条件式について説明する。
【００３２】
各虚像観察光学系１は、以下の条件式（１）〜（５）を満足している。すなわち、
８°＜２・Ang_x ＜２０°                    ・・・（１）
４°＜２・Ang_y ＜８°                      ・・・（２）
６０ｍｍ＜Ｌａ＜２００ｍｍ                  ・・・（３）
０＜ΔAng_y ／Ang_y ＜０．０８              ・・・（４）
０＜ΔAng_x ／（２・Ang_y ）＜０．１２      ・・・（５）
ただし、
Ang_x   ：光学瞳中心で観察される虚像の、光学瞳長辺方向の半画角（°）
Ang_y   ：光学瞳中心で観察される虚像の、光学瞳短辺方向の半画角（°）
Ｌａ    ：光学瞳の長辺方向の有効領域長さ（ｍｍ）
ΔAng_y ：光学瞳中心から光学瞳長辺方向に観察者の瞳がシフトしたときの、光学
瞳長辺方向に対応する虚像の辺における光学瞳短辺方向の画角変動量の
最大値（°）
ΔAng_x ：光学瞳中心で観察したときに、光学瞳中心を含んで光学瞳面に垂直な断
面であって、光学瞳短辺方向に平行な断面上にある虚像を、光学瞳中心
から光学瞳長辺方向にシフトした位置で観察したときの、該虚像の光学
瞳短辺方向両端での光学瞳長辺方向の画角差（°）
である。なお、上述の通り、光学瞳ＥＰは観察者の眼幅方向に長い形状であるので、光学瞳ＥＰの長辺方向は左右方向であり、短辺方向は上下方向である。なお、観察される虚像は、縦長であってもよいし、横長であってもよい。
【００３３】
なお、光学瞳ＥＰの中心の位置は、以下のように定義される。すなわち、上述した唯一の対称面を持つ反射面（例えば面Ｓ１）の上記対称面と、表示面ＯＰの表示有効領域とが交わる部分を発光させたときに、光学瞳ＥＰの上記対称面上で、光学系から射出した光の強度分布が最大となる位置を、光学瞳ＥＰの中心の位置とする。また、表示面ＯＰの表示有効領域とは、表示面ＯＰの全体の画像表示領域のうち、虚像観察光学系１が持つ歪曲を補正するために表示面ＯＰに表示される画像の表示領域のことであるが、その詳細については後述する。また、光学瞳ＥＰの有効領域とは、光学瞳ＥＰにおいて、表示面ＯＰの表示有効領域から射出された光が入射する領域を指す。
【００３４】
図５は、上記のAng_x およびＬａを模式的に示しており、図６は、上記のAng_y を模式的に示している。また、図７（ａ）は、光学瞳ＥＰの中心で観察される虚像の一例を太線の格子で示し、図７（ｂ）は、光学瞳ＥＰの中心から左方向に４５ｍｍシフトした位置で観察される上記虚像を示している。なお、図７（ｂ）では、上記のΔAng_x およびΔAng_y を併せて示している。図７（ａ）（ｂ）の横軸および縦軸は、虚像の観察画角を示しており、単位は、°である。
【００３５】
条件式（１）〜（５）は、虚像観察光学系１で観察される虚像の画角、および観察者の瞳が左右方向にシフトしたときの虚像の歪曲の変化量を規定しており、瞳がシフトしても虚像の歪曲の変動が小さい光学系を実現するための条件である。つまり、瞳シフト時の虚像の歪曲変動が小さくなるような光学系の歪曲変化を規定している。以下、詳細に説明する。
【００３６】
条件式（１）（２）は、それぞれ、光学瞳ＥＰの中心に観察者の瞳を位置させて虚像を観察したときの、虚像の左右方向および上下方向の画角を規定している。画角が条件式（１）（２）の範囲を外れると、瞳がシフトしても歪曲変動を抑えることが困難となる。
【００３７】
条件式（３）は、片眼のみならず両眼でも十分に虚像を観察することが可能な光学瞳ＥＰの大きさを規定している。条件式（３）の下限を下回ると、瞳サイズが小さくなりすぎて、両眼観察ができなくなる。一方、条件式（３）の上限を上回ると、片眼観察および両眼観察の両方が可能であるが、瞳サイズが大きくなりすぎて、光学系のサイズが増大する。
【００３８】
条件式（４）は、観察者の瞳が左右方向にシフトしたときの、歪曲による虚像の上下方向の画角変動を規定するものである。条件式（４）の上限を上回ると、瞳シフト時の虚像の上下方向の画角変動が大きくなり、虚像観察時に酔いが発生したり、両眼観察が困難になる。なお、ΔAng_y およびAng_y は、ともに正の値をとるため、条件式（４）の下限を下回ることはない。
【００３９】
条件式（５）は、観察者の瞳が左右方向にシフトしたときの、歪曲による虚像中央付近での左右方向の画角変動を規定するものである。ここで、光学瞳ＥＰの中心で観察したときに観察される虚像のうち、光学瞳ＥＰの中心を含んで光学瞳ＥＰの面に垂直な断面であって、上下方向に平行な断面（後述する対称面と同じ）上にある部分のことを、中心線と称し、図７（ａ）（ｂ）ではＶＬと記す。条件式（５）の上限を上回ると、観察者の瞳シフトによる歪曲によって、中心線ＶＬが大きく傾く。つまり、図７（ｂ）に示すように、中心線ＶＬの一端（例えば上端）よりも他端（例えば下端）のほうが左方向に大きくシフトする。このように瞳シフトによる歪曲によって中心線ＶＬが大きく傾くと、両眼観察時に虚像中央付近の融像が困難になり、両眼観察での使用感が著しく悪化する。なお、ΔAng_x およびAng_y は、ともに正の値をとるため、条件式（５）の下限を下回ることはない。
【００４０】
つまり、条件式（４）（５）を満足することにより、瞳シフト時の歪曲による虚像の上下方向および左右方向の画角変動を抑えることができ、瞳シフトによる虚像の歪曲変化を低減することができる。
【００４１】
したがって、条件式（１）〜（５）を満足することにより、片眼観察および両眼観察の両方が可能な光学瞳サイズを持ちつつ、コンパクトな構成で、瞳シフトによる虚像の歪曲変化を低減することができる。また、瞳シフトによる虚像の歪曲変化の低減により、特に両眼観察の構成、すなわち、表示面ＯＰから射出される光を、上記した少なくとも２面の反射面を介して光学瞳ＥＰに位置する観察者の両眼に導く構成においては、観察者は、左右の眼で観察される像の融像が容易になる。その結果、虚像観察時の眼の疲労を軽減でき、長時間の虚像の観察も可能となる。
【００４２】
なお、条件式（４）（５）を満足するような歪曲を持つ光学系を設計する、つまり、瞳シフトによる虚像の歪曲変化をターゲットとして光学系を設計することは容易に行えるので、そのような光学系の設計により、表示面ＯＰに歪曲のある画像（後述する）を表示することによって光学系が持つ歪曲を補正する構成が非常に有効となる。つまり、本発明の第一義的な特徴および技術思想は、瞳シフトによる虚像の歪曲変化を低減するための歪曲を、条件式の設定によって光学系に持たせた点にある。
【００４３】
（画像表示による歪曲の補正について）
次に、画像表示によって光学系が持つ歪曲を補正する点について説明する。なお、説明の便宜上、表示面ＯＰの表示有効領域Ｒを以下のように定義する。図８は、表示面ＯＰの表示有効領域Ｒを示している。同図に示すように、表示有効領域Ｒの対向する２つの辺であって、光学瞳ＥＰの長辺方向（左右方向）に対応する辺をＸ１・Ｘ２とし、２つの辺Ｘ１・Ｘ２の中点同士を結んだ線分をＹ0とする。このとき、２つの辺Ｘ１・Ｘ２のうち、線分Ｙ0を含む断面内で、光学瞳ＥＰに最も近い反射面（面Ｓ１）に対する入射角度が最も小さくなる光線Ｌ１（図４参照）が射出される側の辺をＸ１とし、上記反射面に対する入射角度が最も大きくなる光線Ｌ２（図４参照）が射出される側の辺をＸ２とする。なお、虚像が左右方向に横長のときは、辺Ｘ１・Ｘ２は表示有効領域Ｒの対向する２つの長辺に相当し、虚像が上下方向に縦長のときは、辺Ｘ１・Ｘ２は表示有効領域Ｒの対向する２つの短辺に相当する。
【００４４】
同図に示すように、表示有効領域Ｒは、歪曲を持つ画像の表示領域である。表示面ＯＰの全体の表示領域ではなく、その一部にあたる表示有効領域Ｒに歪曲を持つ画像を表示することにより、光学系が持つ歪曲を表示画像の歪曲で相殺して補正することができ、観察者は歪曲が低減された良好な虚像を観察することが可能となる。例えば、光学瞳ＥＰの中心で虚像を観察すると、図７（ａ）に示したような歪曲が低減された虚像を観察することができる。
【００４５】
このように、表示有効領域Ｒに歪曲を有する画像を表示して、光学系が持つ歪曲を補正する構成において、実施の形態１〜３の各虚像観察装置は、以下の条件式（Ａ）〜（Ｃ）を満足している。すなわち、
１．０５＜Ｘｂ／Ｘａ＜１．３        ・・・（Ａ）
−０．０８＜Ｙａ／Ｙｃ＜０．０８      ・・・（Ｂ）
−０．０８＜Ｙｂ／Ｙｃ＜０．０８      ・・・（Ｃ）
ただし、
Ｙｃ  ：線分Ｙ0の長さ（ｍｍ）
Ｘａ  ：辺Ｘ１の、線分Ｙ0に垂直な方向の長さ（ｍｍ）
Ｘｂ  ：辺Ｘ２の、線分Ｙ0に垂直な方向の長さ（ｍｍ）
Ｙａ  ：辺Ｘ１の、線分Ｙ0に平行な方向の歪み量の最大値（ｍｍ）
Ｙｂ  ：辺Ｘ２の、線分Ｙ0に平行な方向の歪み量の最大値（ｍｍ）
である。
【００４６】
表示面ＯＰと光学瞳ＥＰとの間の光路中に少なくとも２面の反射面（面Ｓ１、面Ｓ２）を有し、表示面ＯＰに表示された画像の拡大虚像を、光学瞳ＥＰの位置で観察者に観察させる構成において、条件式（Ａ）は、光学系が持つ台形状の歪み（台形歪み）を補正するための、表示面ＯＰに表示される画像の歪曲量を規定している。なお、この台形歪みは、表示面ＯＰから射出された光が反射面を介して光学瞳ＥＰに対して斜め方向から入射することに起因する。
【００４７】
条件式（Ａ）の下限を下回ると、表示有効領域Ｒが長方形状に近づくため、画像表示によって光学系が持つ台形歪みを補正できる量、すなわち、光学系が持つ台形歪みの許容量が小さくなり、光学系にあまり大きな台形歪みを持たせることができなくなる。光学系が持つ台形歪みを小さく抑えるためには、光学系のサイズを大型化する必要がある。また、条件式（Ａ）の下限を下回り、画像表示によって光学系が持つ台形歪みを補正しきれなくなると、光学瞳ＥＰの面内で観察者の瞳位置が左右方向にシフトしたときの虚像の歪曲変化量も大きくなる。
【００４８】
一方、条件式（Ａ）の上限を上回ると、表示面ＯＰの表示有効領域Ｒの一方の辺Ｘ１側と他方の辺Ｘ２側との間で画素数差が大きくなる。この場合、画素数の小さいほうに合わせて画像を表示する必要があるので、表示画像全体の解像度が低下し、観察される虚像の画質が劣化する。また、光学瞳ＥＰの面内で観察者の瞳位置がシフトしたときに、虚像中心付近での歪曲変化が大きくなり、例えば両眼観察においては、左右の眼で観察される像の融像が困難になる。
【００４９】
したがって、表示面ＯＰの表示画像（表示有効領域Ｒに表示される画像）に条件式（Ａ）を満足する歪曲を与えることにより、光学系が持つ台形歪みをコンパクトな構成で補正し、かつ、虚像の画質劣化を回避しながら、瞳シフトによる虚像の歪曲変化を低減することができる。
【００５０】
また、条件式（Ｂ）（Ｃ）は、表示画像の周辺部における線分Ｙ0に平行な方向の歪曲量をそれぞれ規定している。条件式（Ｂ）（Ｃ）で規定する範囲を外れると、観察者の瞳位置が左右方向にシフトしたときの、線分Ｙ0に平行な方向の歪曲変動が大きいために、画像表示による光学系の歪曲の補正を、瞳全体にわたって行う（どの瞳位置でも歪曲を補正する）ことが困難になる。したがって、条件式（Ｂ）（Ｃ）を満足することにより、瞳シフトによる歪曲変動を小さく抑えて、画像表示による光学系の歪曲の補正を瞳全体にわたって良好に行うことが可能となる。
【００５１】
（反射面の形状の詳細について）
次に、反射面の形状の詳細について説明する。なお、ここでは、光路中の反射面として、光学瞳ＥＰに最も近い面Ｓ１を例に挙げて説明するが、面Ｓ２にも適用することは可能である。図９は、実施の形態１における面Ｓ１の形状を３次元的に示す説明図である。
【００５２】
なお、以下での説明の便宜上、面Ｓ１の座標系を以下のように定める。面Ｓ１の有効領域の中心で面法線ベクトルＮを立てたとき、面法線ベクトルＮの方向をｚ方向とする。そして、面法線ベクトルＮおよび対称面（図１等で示すＹＺ平面）に垂直な方向をｘ方向とし、面法線ベクトルおよびｘ方向に垂直な方向をｙ方向とし、面Ｓ１の有効領域の中心をｘ＝ｙ＝０とする。すなわち、図９では、面法線ベクトルＮを含んでｙ方向に平行な面（ｙｚ面）が対称面である。なお、面Ｓ１の有効領域とは、面Ｓ１において、表示面ＯＰの表示有効領域Ｒから射出された光が入射する領域を指す。図９において、ｘ、ｙ、ｚの各座標の単位は、ｍｍとする。
【００５３】
また、面Ｓ１の有効領域の対称面上でのｙ方向両端のうち、表示面ＯＰから射出された光束の面Ｓ１に対する入射角度がより小さい側の端部をＡとし、上記入射角度がより大きい側の端部をＢとする。まず、面Ｓ１の面形状を、ｙ方向のサグ量の変化に着目して説明する。
【００５４】
＜ｙ方向のサグ量の変化＞
図１０は、面Ｓ１のｘ方向に垂直な断面（ｙｚ断面）での形状およびサグ量を、ｘ＝０、ｘ＝４０、ｘ＝８０の各断面で模式的に示している。なお、サグ量の基準面は、面Ｓ１の対称面内での有効領域中心における接平面とする。また、ｘ＝４０、ｘ＝８０の各断面でのサグ量は、（ｘ，ｙ）＝（４０，０）、（８０，０）の位置のサグ量を基準とする相対的なサグ量（ｍｍ）をそれぞれ示している。
【００５５】
図９および図１０より、以下のことが言える。面Ｓ１において、端部Ａからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ａのサグ量よりも増加している。一方、端部Ｂからｘ方向に距離ｐだけ離れた位置の、（ｘ，ｙ）＝（ｐ，０）を基準とする相対的なサグ量は、距離ｐが増加するにしたがって、（ｘ，ｙ）＝（０，０）を基準とする端部Ｂのサグ量よりも減少している。つまり、対称面からｘ方向に離れるにつれて、サグ量の変化の仕方がｙ方向の端部Ａ側と端部Ｂ側とで異なっている。
【００５６】
また、図１１および図１２は、実施の形態２および３の各光学系において、面Ｓ１のｙｚ断面での形状およびサグ量を、ｘ＝０、ｘ＝４０、ｘ＝８０の各断面でそれぞれ模式的に示している。これらの図より、実施の形態２および３においても、ｙ方向のサグ量の変化の仕方は、実施の形態１と同様であると言える。
【００５７】
面Ｓ１において、端部Ａ側と端部Ｂ側とでサグ量を上記のように変化させることにより、画面左右端におけるｙ方向の歪曲を補正しやすくなり、上述した条件式（Ｂ）（Ｃ）を容易に満足することができる。これにより、光学系が持つ歪曲を瞳全体にわたって良好に補正できるとともに、瞳シフトによる虚像の歪曲変化を低減できる虚像観察光学系１を確実に実現することができる。
【００５８】
なお、他の反射面である面Ｓ２についても、サグ量を上記のように変化させることによって、上記の効果を得ることはできるが、光路上で光学瞳ＥＰに最も近い反射面であって、有効領域中心付近でｙ方向に負のパワーを持つ面Ｓ１について、サグ量を上記のように変化させることが最も効果的である。
【００５９】
＜ｘ方向のサグ量の変化＞
次に、面Ｓ１の面形状を、ｘ方向のサグ量の変化に着目して説明する。図１３は、実施の形態１の光学系において、面Ｓ１のｙ方向に垂直な断面（ｚｘ断面）での形状およびサグ量を、ｙ＝０、ｙ＝５０、ｙ＝−５０の各断面で模式的に示している。なお、サグ量の基準面は、図１０等と同様に、面Ｓ１の対称面内での有効領域中心における接平面とする。また、ｙ＝５０、ｙ＝−５０の各断面でのサグ量は、（ｘ，ｙ）＝（０，５０）、（０，−５０）の位置のサグ量を基準とする相対的なサグ量をそれぞれ示している。なお、ｙ＝５０は、上記した端部Ａを通る、ｙ方向に垂直な断面に相当し、ｙ＝−５０は、上記した端部Ｂを通る、ｙ方向に垂直な断面に相当する。
【００６０】
図１３より、ｙ＝０、ｙ＝５０、ｙ＝−５０の各断面では、対称面（ｘ＝０）からの距離が大きくなるにつれて、面Ｓ１のサグ量が単調に増加していることがわかる。なお、ｙ方向に垂直な断面のうち、上記以外の他の断面においても、対称面からの距離が大きくなるにつれて、面Ｓ１のサグ量が単調に増加することは、例えば図９の形状を見れば明らかである。
【００６１】
つまり、面Ｓ１の有効領域では、ｙ方向に垂直な全ての断面で、対称面からの距離が大きくなるにつれて、面Ｓ１のサグ量は単調に増加している。このような形状を実現するために、面Ｓ１は、ｘ方向に負のパワーを有し、面Ｓ１のｘ方向の曲率は、ｙ方向の曲率よりも大きくなるように設定されている。
【００６２】
また、図１４は、実施の形態１の光学系において、面Ｓ１のｙ方向に垂直な各断面とｙ＝０断面とでのサグ量の差分を示している。より具体的には、ｙ＝５０の断面とｙ＝０の断面とでのサグ量の差分と、ｙ＝−５０の断面とｙ＝０の断面とでのサグ量の差分とを示している。同図より、以下のことが言える。面Ｓ１の有効領域のｙ＝０の断面において、対称面上の位置（（ｘ，ｙ）＝（０，０））を基準とするｘ＝ｑ（ｑは任意の値）の位置（（ｘ，ｙ）＝（ｑ，０））のサグ量をＤ０とする。また、端部Ａを通るｙ方向に垂直な断面（ｙ＝５０）において、端部Ａ（（ｘ，ｙ）＝（０，５０））のサグ量を基準とするｘ＝ｑの位置（（ｘ，ｙ）＝（ｑ，５０））の相対的なサグ量をＤ１とする。また、端部Ｂを通るｙ方向に垂直な断面（ｙ＝−５０）において、端部Ｂ（（ｘ，ｙ）＝（０，−５０））を基準とするｘ＝ｑの位置（（ｘ，ｙ）＝（ｑ，−５０））の相対的なサグ量をＤ２とする。このとき、面Ｓ１の有効領域のｘ方向の全ての位置について（ｑがｘ方向のどの位置にあっても）、Ｄ１−Ｄ０＞０で、かつ、Ｄ２−Ｄ０＜０である。なお、サグ量Ｄ０、Ｄ１、Ｄ２の単位は、全てｍｍとする。
【００６３】
また、図１５および図１６は、実施の形態２および３の各光学系において、ｙ＝５０の断面とｙ＝０の断面とでのサグ量の差分と、ｙ＝−５０の断面とｙ＝０の断面とでのサグ量の差分とをそれぞれ示している。これらの図より、実施の形態２および３においても、面Ｓ１の有効領域のｘ方向の全ての位置について、サグ量の関係は、Ｄ１−Ｄ０＞０で、かつ、Ｄ２−Ｄ０＜０であると言える。
【００６４】
上記した条件を満足する面Ｓ１を光学系内に配置することにより、画像表示によって補正可能な歪曲を持つ光学系を確実に実現することができる。つまり、表示画像の上述した条件式（Ａ）を満足する歪曲で補正される歪曲を持つ光学系を確実に実現することができる。
【００６５】
さらに、各実施の形態１〜３では、以下の条件式（６）を満足することが望ましい。すなわち、
１．０＜Ｐx_a ／Ｐx_b ＜１．５      ・・・（６）
ただし、
Ｐx_a ：上記反射面の有効領域の端部Ａでのｘ方向のパワー（１／ｍｍ）
Ｐx_b ：上記反射面の有効領域の端部Ｂでのｘ方向のパワー（１／ｍｍ）
である。
【００６６】
条件式（６）は、面Ｓ１の対称面上でのｘ方向のパワーの分布を規定するものである。この条件式（６）を満足することにより、光学系が持つ台形歪みを所定の範囲内に収める（所定の値に抑える）ことができる。
【００６７】
（補足）
上述した唯一の対称面を持つ反射面は、表示面ＯＰから光学瞳ＥＰに向かう光路上で光学瞳ＥＰに最も近い反射面、すなわち、面Ｓ１であることが望ましい。
【００６８】
光学瞳ＥＰに最も近い反射面上では、各画角の光束が分離しているため、歪曲の補正を行う上では、上記反射面を利用することが有利である。つまり、上記した唯一の対称面を持つ反射面を、光学瞳ＥＰに最も近い位置に配置することにより、歪曲の補正が容易となる。また、光学瞳ＥＰに最も近い反射面が条件式（６）を満足する場合は、画像表示によって補正可能な歪曲を持つ光学系を、コンパクトな構成で実現することができる。
【００６９】
また、表示面ＯＰから光学瞳ＥＰに向かう光の光路は、図１等で示したように、少なくとも２つの反射面（面Ｓ１、面Ｓ２）により、虚像の短辺方向に折り曲げられている（虚像の短辺方向を含む断面内で折り曲げられている）ことが望ましい。この構成では、虚像の長辺方向に光路を折り曲げる構成に比べて、コンパクトな構成を容易に実現することができる。
【００７０】
（実施例）
以下、各実施の形態１〜３の虚像観察装置の実施例について、実施例１〜３として、コンストラクションデータ等を挙げてさらに具体的に説明する。なお、実施例１〜３はそれぞれ、実施の形態１〜３に対応する数値実施例であり、各実施の形態１〜３の光学構成および光路を示す図面（図１〜図３）は、対応する実施例１〜３にもそのまま適用される。
【００７１】
以下に示す各面のデータは、光学瞳ＥＰの中心を座標基準（原点）とする右手系の直交座標系（Ｘ，Ｙ，Ｚ）に基づいて示されている。なお、Ｘ、Ｙ、Ｚの各方向の定義（軸の取り方）については、上述した通りである。ただし、右手系の直交座標系なので、Ｘ、Ｙ、Ｚの各方向の正負は以下の通りとする。光学瞳ＥＰに対して表示面ＯＰ側に向かう方向をＺ軸の正の方向とし、光学瞳ＥＰの中心から上方向をＹ軸の正の方向とし、光学瞳ＥＰの中心から左方向をＸ軸の正の方向とする。また、αは、Ｘ軸回りの回転角度（°）を指し、Ｘ軸の正の方向に向かって反時計回りの方向を、回転角度の正の方向とする。
【００７２】
また、自由曲面からなる面Ｓ１および面Ｓ２は、その面頂点を原点とするローカルな直交座標系（ｘ，ｙ，ｚ）を用いた以下の式で定義される。以下で示した多項式自由曲面データにおいて、表記の無い項の係数は０であり、全てのデータに関して、Ｅ−ｎ＝×１０-nである。
【００７３】
ｚ＝（ｃ・ｈ2）／［１＋√｛１−（１＋Ｋ）・ｃ2・ｈ2｝］
＋Σ｛Ｃ（ｉ，ｊ）・ｘi・ｙj｝
ただし、
ｚ：高さｈの位置でのｚ軸方向の変位量（面頂点基準）
ｈ：ｚ軸に対して垂直な方向の高さ（ｈ2＝ｘ2＋ｙ2）
ｃ：面頂点での曲率（＝１／曲率半径）
Ｋ：円錐係数
Ｃ（ｉ，ｊ）：ｘのｉ次、ｙのｊ次の多項式自由曲面係数
である。
【００７４】
なお、以下では、便宜上、Ｃ（ｉ，ｊ）をＸｉＹｊというように記載する。例えば、「Ｘ２Ｙ」とは、多項式におけるｘの２次、ｙの１次の項の自由曲面係数であることを示す。また、Ｒは、曲率半径（ｍｍ）を示し、ｎｄは、ｄ線に対する屈折率を示し、νｄは、ｄ線に対するアッベ数を示す。
【００７５】
また、各実施例における、光学瞳ＥＰに対する中心画角主光線の入射角度（°）を併せて示す。なお、中心画角主光線とは、表示面ＯＰの中心から射出され、面Ｓ２および面Ｓ１で反射されて光学瞳ＥＰの中心に入射する光線を指すものとする。
【００７６】
＜実施例１＞
面            x         y            z            α
S1            0     -193.094      741.489       32.045
S2            0     -325.734      714.995       48.528
OP（表示面）  0     -256.207      924.508       16.000
虚像位置      0     -378.104     1451.564      -14.6
【００７７】
自由曲面係数
S1               S2
R         801.766          354.964
K          24.960           -8.524
Y           4.6307E-05       7.7568E-05
X2          3.9474E-04       2.7931E-04
Y2         -2.8268E-04      -2.4631E-04
X2Y         9.7718E-07       1.5410E-07
Y3         -2.0460E-07      -9.6416E-07
X4         -2.9189E-08       1.9126E-08
X2Y2       -2.1269E-08       2.8315E-08
Y4         -4.2521E-08       2.5007E-08
X4Y         0.0000E+00      -1.0753E-11
X2Y3        0.0000E+00       8.7579E-11
Y5          0.0000E+00       9.8524E-11
X6          0.0000E+00      -3.7075E-13
X4Y2        0.0000E+00      -2.1651E-13
X2Y4        0.0000E+00      -3.3635E-13
Y6          0.0000E+00      -1.0743E-11
【００７８】
光学瞳ＥＰに対する中心画角主光線の入射角度：14.6°
【００７９】
＜実施例２＞
面            x         y            z            α
S1            0     -193.485      742.815        0.438
S2            0     -324.679      710.262       46.917
OP（表示面）  0     -256.401      923.920       16.000
虚像位置      0     -403.311     1548.335      -14.6
【００８０】
自由曲面係数
S1               S2
R         421.922          218.403
K           4.991           -3.446
Y          -5.8435E-01       7.9909E-05
X2         -5.5817E-05      -6.4284E-04
Y2         -1.0039E-03      -1.3472E-03
X2Y         2.8176E-06       1.5995E-07
Y3          2.4073E-06       3.6449E-07
X4         -3.8799E-08       2.5966E-08
X2Y2       -2.0282E-08       5.4574E-08
Y4          4.1223E-08       8.2784E-08
X4Y        -5.2004E-11       3.5360E-11
X2Y3       -4.8472E-12       4.4603E-11
Y5         -6.4926E-10      -1.7029E-10
X6          1.5566E-13      -4.5241E-13
X4Y2       -3.1532E-12      -1.7624E-12
X2Y4        3.8022E-12       9.0651E-13
Y6         -1.7375E-11      -1.2579E-11
【００８１】
光学瞳ＥＰに対する中心画角主光線の入射角度：14.6°
【００８２】
＜実施例３＞
面            x         y            z            α         nd     νd
S1            0     -192.5894     739.5069      30.9967
S2            0     -324.7676     708.0805      47.1044
S3            0     -279.5512     850.4977       5.6064   1.5251  56.34
S4            0     -278.7696     858.4595       5.6064
OP（表示面）  0     -256.6509     924.6884      16
虚像位置      0     -378.104     1451.5638     -14.6
【００８３】
自由曲面係数
S1               S2               S3
R         657.729          364.133         1464.155224
K          15.483           -5.119            0.000
Y          -4.0828E-05      -4.7900E-05       0.0000E+00
X2          1.5725E-04       2.0654E-04       2.6924E-04
Y2         -4.2061E-04      -2.5455E-04       2.4091E-04
X2Y         1.9315E-06       4.8497E-07       6.1258E-06
Y3         -3.0912E-07      -8.7982E-07       1.6231E-06
X4         -2.8195E-08       7.9337E-09       4.1906E-08
X2Y2       -2.3012E-08       1.1228E-08      -1.4538E-08
Y4         -4.6318E-08       1.1123E-08       1.7563E-07
X4Y         0.0000E+00       1.9783E-11       0.0000E+00
X2Y3        0.0000E+00       1.1821E-10       0.0000E+00
Y5          0.0000E+00       9.3104E-11       0.0000E+00
X6          0.0000E+00      -2.3446E-13       0.0000E+00
X4Y2        0.0000E+00       6.0836E-14       0.0000E+00
X2Y4        0.0000E+00       1.7143E-13       0.0000E+00
Y6          0.0000E+00      -1.1457E-11       0.0000E+00
【００８４】
光学瞳ＥＰに対する中心画角主光線の入射角度：14.6°
【００８５】
表１は、各実施例１〜３において、虚像の長辺方向および短辺方向の各画角（°）、虚像の長辺方向および短辺方向における光学瞳ＥＰの各サイズ（ｍｍ）、条件式（１）〜（６）および条件式（Ａ）〜（Ｃ）に関連する各値を示している。なお、表１のΔAng_x およびΔAng_yは、観察者の瞳が光学瞳中心から左右方向に４５ｍｍシフトした場合における値を示している。また、虚像距離（光学瞳ＥＰから虚像までの距離）は１６００ｍｍとする。表１より、各実施例１〜３は、上述した条件式（１）〜（６）および条件式（Ａ）〜（Ｃ）を全て満足していることがわかる。
【００８６】
【表１】
2012058294.tif 000003
【００８７】
（その他）
表示面ＯＰと光学瞳ＥＰとの間の光路中に配置される反射面は、３面以上であってもよく、光学瞳ＥＰ側から３枚目以降の反射面は、パワーを有する反射面であってもよいし、パワーを持たない平面反射面であってもよい。
【００８８】
なお、光路中の反射面の枚数を増やすほど、収差の補正は容易となるが、その反面、光学系が大型化する。反射面を用いた場合、光線と光学部材との干渉を避けるため、枚数を増やすことによる大型化の度合いは屈折系を用いた場合よりも大きい。したがって、反射面の枚数は、要求される光学性能と光学系のサイズとの兼ね合いで設定されればよい。
【００８９】
上述した虚像観察光学系１は、反射面を偏心配置することによって、表示面ＯＰからの光を光学瞳ＥＰに斜めに入射させているが、本発明は、このような構成に限定されるわけではない。光線と光学部材との干渉を避けることができるのであれば、表示面ＯＰからの光（特に中心画角主光線）が複数の反射面（例えば３面以上）を介して光学瞳ＥＰに対して垂直に入射する構成としてもよい。この場合でも、各反射面のパワー配置、形状、位置等を適切に設定することにより、瞳シフトによる虚像の歪曲変化を低減することができる。このような構成の虚像観察光学系１は、例えばＨＭＤ（ヘッドマウントディスプレイ）に適用可能である。
【産業上の利用可能性】
【００９０】
本発明の虚像観察光学系および虚像観察装置は、例えばＨＭＤやＨＵＤ（ヘッドアップディスプレイ）に利用可能である。
【符号の説明】
【００９１】
１      虚像観察光学系（虚像観察装置）
Ｓ１    面（反射面）
Ｓ２    面（反射面）
ＯＰ    表示面（虚像観察装置）
ＥＰ    光学瞳
【図１】
2012058294.tif 000004
【図２】
2012058294.tif 000005
【図３】
2012058294.tif 000006
【図４】
2012058294.tif 000007
【図５】
2012058294.tif 000008
【図６】
2012058294.tif 000009
【図７】
2012058294.tif 000010
【図８】
2012058294.tif 000011
【図９】
2012058294.tif 000012
【図１０】
2012058294.tif 000013
【図１１】
2012058294.tif 000014
【図１２】
2012058294.tif 000015
【図１３】
2012058294.tif 000016
【図１４】
2012058294.tif 000017
【図１５】
2012058294.tif 000018
【図１６】
2012058294.tif 000019
【図１７】
2012058294.tif 000020